(57)【要約】本発明は、陰極線管（ＣＲＴ）のＤＡＦ区分（２２０）を制御するのに使用できるライン周波数ダイナミックフォーカシング電圧（Ｖｌ１）を発生するダイナミックフォーカシング回路（１００）に関する。ダイナミックフォーカシング回路（１００）は、ライン偏向電流（Ｉｄｌ）を受け取り、その電流を変換し及び積分してライン周波数フォーカシング電圧（Ｖｌ１）を取得する。ダイナミックフォーカシング回路は、他のライン周波数フォーカシング電圧（Ｖｌ２）も発生し、この電圧をライン周波数フォーカシング電圧（Ｖｌ１）に加える。本発明を適用することによって、ライン周波数フォーカシング電圧（Ｖｌ１）は、例えば１２０°の比較的大きな偏向角で陰極線管（ＣＲＴ）の電子ビーム（２０１）を動的に収束するのに適している。それは、十分な大きさ及び適切な形状例えばバスタブ形状を有する。
2004531182.tif 000002
【特許請求の範囲】
【請求項１】
ライン周波数偏向電流を受信する１次巻線及び変換された偏向電流を発生する２次巻線を有する変成器と、
前記２次巻線に結合され、前記変換された偏向電流からライン周波数フォーカシング電圧を発生する積分器とを具えるダイナミックフォーカシング回路において、
前記２次巻線に結合された波形発生器を設けて、他のライン周波数フォーカシング電圧を発生するとともに、前記他のライン周波数フォーカシング電圧を前記ライン周波数フォーカシング電圧に重畳することを特徴とするダイナミックフォーカシング回路。
【請求項２】
前記ライン周波数フォーカシング電圧が、前記他のライン周波数フォーカシング電圧の重畳後に少なくとも１５００Ｖの大きさを有することを特徴とする請求項１記載のダイナミックフォーカシング回路。
【請求項３】
前記他のライン周波数フォーカシング電圧が、ほぼ４次のライン周波数成分及び更に高次のライン周波数成分を有することを特徴とする請求項１記載のダイナミックフォーカシング回路。
【請求項４】
前記波形発生器が、前記他のライン周波数フォーカシング電圧を発生する波形発生回路と、その波形発生回路に結合され、発生した他のライン周波数フォーカシング電圧を増幅する増幅器とを具えることを特徴とする請求項１記載のダイナミックフォーカシング回路。
【請求項５】
前記他のライン周波数フォーカシング電圧が、前記ライン周波数フォーカシング電圧の大きさの０．５〜２倍の大きさを有することを特徴とする請求項１記載のダイナミックフォーカシング回路。
【請求項６】
ビデオ信号を表示する陰極線管と、
その陰極線管の電子ビームを偏向する偏向手段と、
前記陰極線管中で前記電子ビームを発生し、前記電子ビームの偏向に応じて前記電子ビームの収束及び非点収差を動的に適合させるＤＡＦ区分を具える電子銃と、
前記偏向手段に結合され、前記ビデオ信号に同期をとってライン偏向電流及びフィールド周波数偏向電流を発生する偏向回路と、
前記ライン周波数フォーカシング電圧を前記ＤＡＦ区分に供給する請求項１から５のうちのいずれか１項に記載のダイナミックフォーカシング回路とを具えることを特徴とする画像表示装置。
【請求項７】
前記ダイナミックフォーカシング回路の１次巻線を前記偏向回路に結合したことを特徴とする請求項６記載の画像表示装置。
【請求項８】
画像表示装置にライン周波数フォーカシング電圧を発生する方法であって、
ライン周波数偏向電流を変換偏向電流に変換するステップと、
その変換偏向電流をライン周波数フォーカシング電圧に積分するステップとを具える方法において、
他のライン周波数フォーカシング電圧を発生するステップと、
前記他のライン周波数フォーカシング電圧を前記ライン周波数フォーカシング電圧に重畳するステップとを具えることを特徴とする方法。
【請求項９】
前記ライン周波数フォーカシング電圧が、前記他のライン周波数フォーカシング電圧の重畳の後に少なくとも１５００Ｖの大きさを有することを特徴とする請求項８記載の方法。
【請求項１０】
前記他のライン周波数フォーカシング電圧が、ほぼ４次のライン周波数成分及び更に高次のライン周波数成分を有することを特徴とする請求項８記載の方法。
【発明の詳細な説明】
【技術分野】
【０００１】
本発明は、ライン周波数偏向電流を受信する１次巻線及び変換された偏向電流を発生する２次巻線を有する変成器と、前記２次巻線に結合され、前記変換された偏向電流からライン周波数フォーカシング電圧を発生する積分器とを具えるダイナミックフォーカシング回路に関する。
【０００２】
また、本発明は、ＤＡＦ区分を設けた電子銃を有する陰極線管、偏向手段、偏向回路及び冒頭で説明したタイプのダイナミックフォーカシング回路を具える画像表示装置に関する。
【０００３】
また、本発明は、画像表示装置にライン周波数フォーカシング電圧を発生する方法であって、ライン周波数偏向電流を変換偏向電流に変換するステップと、その変換偏向電流をライン周波数フォーカシング電圧に積分するステップとを具える方法に関する。
【背景技術】
【０００４】
冒頭で説明した方法によるダイナミックフォーカシング電圧を発生する従来のダイナミックフォーカシング回路は、例えば米国特許第５４３０３５８号から既知である。
【０００５】
電子ビームは、陰極線管を具える画像表示装置の表示スクリーン上にイメージを形成する。電子ビームは、陰極線管の電子銃から発生し、表示スクリーン上にイメージを形成する。表示スクリーンには、電子ビームが当てられたときに発光する傾向対の行すなわちドットが設けられている。
【０００６】
画像表示装置は、陰極線管での電子ビームを偏向する偏向手段を具える。偏向手段は、画像表示装置の偏向回路によって制御される。この偏向回路は、画像表示装置によって受信されたビデオ信号に同期をとってライン周波数偏向電流及びフィールド周波数偏向電流を発生する。このようにして、表示スクリーン上の電子ビームの到達点が表示スクリーン上に表示される。
【０００７】
偏向手段によって電子ビームを偏向することによって、電子源と表示スクリーン上の到達点との間の電子は、更に長い距離を進行する。更に詳しくは、電子ビームを収束する主レンズと表示スクリーンとの間の電子は、偏向に応じて更に長い経路を進行する。その結果、電子ビームは、もはや表示スクリーン全体に亘って十分収束されず、電子ビームは、表示スクリーンの少なくとも一部で焦点を外れて収束される。
【０００８】
電子を偏向すると、偏向手段は電子光学四極型レンズとしても作用し、その結果、非点収差が生じ、電子ビームの形状が偏向に応じて変化する。
【０００９】
そのような影響は、表示スクリーンのコーナーで、すなわち、電子ビームの偏向がライン周波数方向及びフィールド周波数方向で最大と成るときに最も顕著になる。
【００１０】
かかる影響を軽減するために、例えば米国特許第４７４２２７９号から既知であるようなＤＡＦ区分と称される区分を電子銃に設けることができる。ＤＡＦ区分は、電子光学四極型レンズを更に具え、そのパワーは、偏向手段によって発生した非点収差を少なくとも部分的に補正するよう電子の偏向に応じて動的に変動する。さらに、ＤＡＦ区分は、主レンズのパワーを変更することができ、その結果、電子ビームは、表示スクリーン全体を通じてほぼ焦点に存在することができる。
【００１１】
ＤＡＦ区分は、固定されたフォーカシング電圧と、ダイナミックフォーカシング回路から供給されるダイナミックフォーカシング電圧とを受信する。
【００１２】
従来のダイナミックフォーカシング回路において、変成器は、偏向回路からライン周波数偏向電流を受信し、その偏向電流はほぼ鋸歯形状である。変成器は、ライン周波数偏向電流の変換を行い、その後、変換されたライン周波数偏向電流は、キャパシタによってライン偏向電圧に積分される。ダイナミックフォーカシング回路は、フィールド周波数偏向電圧も発生する。既知のダイナミックフォーカシング回路において、フィールド周波数偏向電圧は、ライン周波数偏向電圧から形成される。ライン周波数フォーカシング電圧及びフィールド周波数フォーカシング電圧が、ダイナミックフォーカシング電圧に結合され、それは、例えば結合キャパシタを通じて固定フォーカシング電圧に結合される。結果的に得られる電圧は、電子銃のＤＡＦ区分に供給される。
【００１３】
比較的大きな表面区域を有する表示スクリーンに対して比較的浅い深さの陰極線管を有するのが望ましい。これは、電子ビームが比較的大きな角度例えば１２０°で偏向されることを意味する。そのような偏向角において、表示スクリーンのエッジ付近、特に表示スクリーンのコーナーの電子ビームが、焦点を著しく外れ、非点収差が非常に大きくなる。ＤＡＦ区分によるこれらの影響の補正は、比較的大きい、例えば２００Ｖのダイナミックフォーカシング電圧を必要とする。
【００１４】
一般に、表示スクリーンは、フィールド周波数方向に比べてライン周波数方向の寸法が大きく、その比は、例えば４：３又は１６：９となる。ライン周波数フォーカシング電圧がダイナミックフォーカシング電圧の大部分を構成する場合、すなわち、ライン周波数フォーカシング電圧が例えば１５００Ｖの大きさを有するとともにフィールド周波数フォーカシング電圧が例えば５００Ｖの大きさを有する場合、有利である。
【００１５】
既知のダイナミックフォーカシング回路は、スクリーンのエッジ付近で平坦なパラボラ形状を有するライン周波数フォーカシング電圧を発生する。さらに、表示スクリーンのコーナーのライン周波数偏向電流は、偏向磁界によるフレームの糸巻き型の歪みのために表示スクリーンのライン軸におけるものより小さい。
【発明の開示】
【発明が解決しようとする課題】
【００１６】
これらの影響によって、ライン周波数フォーカシング電圧は、所望の形状から著しく逸脱した形状となり、その結果、電子ビームのピンぼけ及び非点収差は、表示スクリーンのエッジ付近、特に、そのコーナーで十分に減少されない。
【００１７】
ライン周波数フォーカシング電圧の理想的な形状は、一般に、バスタブ形状と称される形状である。バスタブ形状とは、パラボラ形状に比べて表示スクリーンの中央で比較的兵站であるとともに表示スクリーンのエッジ付近で比較的急峻なほぼ４次の形状であることをここでは理解すべきである。
【００１８】
他の従来のダイナミックフォーカシング回路において、ライン周波数フォーカシング電圧は、波形発生回路によって全体が発生し、この場合、ダイナミックフォーカシング回路は変成器を具えない。そのような回路は、例えば欧州特許出願第７４１９４８号に記載されている。この回路において、ライン周波数フォーカシング電圧の形状は、所望の形状に最適化される。しかしながら、この回路は、波形発生器のトランジスタの制約のためにライン周波数フォーカシング電圧が約１２００Ｖに制限されるという問題がある。
【００１９】
１２００Ｖより高いライン周波数フォーカシング電圧を発生することができるトランジスタを使用することができるが、かかるトランジスタは、高価であるとともに電力消失が大きい。
【００２０】
本発明の第１の目的は、比較的大きな最大偏向角の電子ビームを有する画像表示装置に要求される大きさ及び形状のライン周波数フォーカシング電圧を比較的廉価な方法で発生することができる、冒頭で説明したタイプのダイナミックフォーカシング回路を提供することである。
【課題を解決するための手段】
【００２１】
第１の目的は、前記２次巻線に結合された波形発生器を設けて、他のライン周波数フォーカシング電圧を発生するとともに、前記他のライン周波数フォーカシング電圧を前記ライン周波数フォーカシング電圧に重畳することによって達成される。
【発明の効果】
【００２２】
本発明による回路及び方法は、比較的大きなライン周波数フォーカシング電圧を変成器によって発生し、そのフォーカシング電圧に他のラインフォーカシング電圧を重畳して、ライン周波数フォーカシング電圧の形状を補正するという利点を有する。ライン周波数フォーカシング電圧は、１５００Ｖより上の大きさを有する。これは、電子ビームが比較的大きな角度で偏向される画像表示装置で特に有利である。
【００２３】
ライン周波数フォーカシング電圧をバスタブ形状に補正する形状を他のライン周波数フォーカシング電圧が有する場合に有利となる。ライン周波数フォーカシング電圧は、一般に、表示スクリーンのエッジ付近で平坦なバスタブ形状を有し、その結果、他のライン周波数フォーカシング電圧がほぼ４次のライン周波数成分及びそれより高次のライン周波数成分を有するときに有利となる。そのような信号は、ライン周波数フォーカシング電圧を表示スクリーンのエッジ付近で十分高速に変化し、波形発生回路によって容易に発生することができる。
【００２４】
他のライン周波数フォーカシング電圧が十分にライン周波数フォーカシング電圧の形状を補正するように、ダイナミックフォーカシング電圧の全ライン周波数成分が十分に大きい間、他のライン周波数フォーカシング電圧及びライン周波数フォーカシング電圧が同一次数であるときに有利となる。他のライン周波数フォーカシング電圧は、ライン周波数フォーカシング電圧の大きさの０．５〜２倍の大きさであってもよい。
【００２５】
本発明の第２の目的は、電子ビームが表示スクリーン全体に亘ってほぼ焦点に存在するとともに電子ビームの非点収差ができるだけ制約される、比較的大きな最大偏向角を有する画像表示装置を提供することである。
【００２６】
第２の目的は、請求項１〜５のうちのいずれか１項に規定されたダイナミックフォーカシング回路を具える画像表示装置によって達成される。ダイナミックフォーカシング回路は、ダイナミックフォーカシング電圧を電子銃のＤＡＦ区分に供給し、ダイナミックフォーカシング電圧は、実際に要求されるダイナミックフォーカシング電圧にできるだけ対応し、その結果、電子ビームは、表示スクリーン全体を通じてほぼ焦点に存在し、非点収差ができるだけ抑制される。
【００２７】
ダイナミックフォーカシング回路の変成器の１次巻線が偏向回路に結合されるときが有利である。このようにして、ライン周波数フォーカシング電圧を発生するダイナミックフォーカシング回路は、ライン周波数偏向電流を受信することができ、ライン周波数偏向電流を発生するために他の成分が必要とされない。
【００２８】
本発明の第３の目的は、比較的大きな最大偏向角の電子ビームを有する画像表示装置に要求される大きさ及び形状のライン周波数電圧を比較的廉価な方法で発生する方法を提供することである。
【００２９】
第３の目的は、請求項８〜１０のうちのいずれか１項に規定された方法によって達成される。
【発明を実施するための最良の形態】
【００３０】
ダイナミックフォーカシング回路１００は、入力部１でライン周波数偏向電流Ｉｄ１が入力される。この偏向電流は、８００×６００画素及び１００Ｈｚのリフレッシュレートの表示スクリーンに対して例えば８Ａの値及び６０ｋＨｚの周波数を有する。入力部１は、変成器１０の１次巻線Ｌｐに結合される。この変成器１０は、２次巻線Ｌｓも有する。ライン周波数偏向電流Ｉｄｌに比べて小さい、変換されたライン偏向電流Ｉｔを発生するために、１次巻線Ｌｐの巻数Ｎ１を、２次巻線Ｌｓの巻線Ｎ２に比べて少なくする。Ｎ１とＮ２との間の樋を、例えば１：１００とし、この場合、変換されたライン周波数偏向電流Ｉｔは、８０ｍＡの値を有する。
【００３１】
キャパシタＣ１からなる積分器２０を、ノード５１と５２との間で２次巻線Ｌｓに並列に配置する。これによって、ノード５１と５２との間にライン周波数フォーカシング電圧Ｖｌ１が発生する。ライン周波数フォーカシング電圧Ｖｌ１は、例えば８００Ｖの大きさを有し、このために、キャパシタＣ１は、６０ｋＨｚのライン周波数に対して約０．５μＦの容量を有する。
【００３２】
他のライン周波数フォーカシング電圧Ｖｌ２を発生する波形発生器３０は、ノード５２に結合される。波形発生器は、スクリーン上の電子ビームの位置に応じて波形を発生し得る回路３２を具える。そのような回路は、例えば上記欧州特許出願第０７４１９４８号の明細書に記載されている。回路３２を、フィリップスＩＣの型番号ＴＤＡ４８５６のような集積回路とする。そのような回路を、個別の回路として又は適切にプログラムされたマイクロプロセッサによって形成することもできる。
【００３３】
波形発生回路３２は、例えば１Ｖの大きさを有する、所望の位置に依存する修正波形を発生し、その波形は、個別の増幅器３１に供給される。増幅器は、例えば８００の利得を有し、その結果、増幅器３１の出力部は、所望の形状及び振幅の他のライン周波数フォーカシング電圧Ｖｌ２を出力する。他のライン周波数フォーカシング電圧Ｖｌ２は、ライン周波数フォーカシング電圧Ｖｌ１に重畳される。
【００３４】
ダイナミックフォーカシング回路は、フィールド周波数フォーカシング電圧を発生する手段４０も具える。図示した実施の形態において、かかる手段は、波形発生回路３２に組み込まれ、これによって、波形発生回路３２は、ライン周波数信号及びフィールド周波数信号を発生する。
【００３５】
そのような手段４０の他の例は、例えば上記米国特許第５４３０３５８号の従来技術に十分記載されている。
【００３６】
結合キャパシタＣ２がノード５１と５３との間に配置される。回路は、抵抗器Ｒｉを通じて直流電圧Ｖａをノード５３で受信する。Ｖａは、例えば７５００Ｖの大きさを有する。ダイナミックフォーカシング電圧Ｖｄａｆは、結合キャパシタＣ２を通じて直流フォーカシング電圧Ｖａに重畳される。ノード５３は、ダイナミックフォーカシング回路の出力部２にも結合される。
【００３７】
ダイナミックフォーカシング回路の動作を更に説明するとともに本発明による方法を明らかにするために、図２は、ダイナミックフォーカシング回路に生じる選択された電気信号の波形を示す。更に詳しくは、図２において、
図２Ａは、ライン周波数偏向電流Ｉｄｌであり、
図２Ｂは、ライン周波数フォーカシング電圧Ｖｌ１であり、
図２Ｃは、他のライン周波数フォーカシング電圧Ｖｌ２であり、
図２Ｄは、全ライン周波数フォーカシング電圧Ｖｌ１＋Ｖｌ２であり、
図２Ｅは、ダイナミックフォーカシング電圧Ｖｄａｆである。
【００３８】
一般に、ダイナミックフォーカシング回路１００の入力部１は、画像表示装置の偏向手段から発生するライン周波数偏向電流Ｉｄｌを受け取る。ライン周波数偏向電流Ｉｄｌを受け取る。ライン周波数偏向電流Ｉｄ１はほぼ鋸歯形状である。
【００３９】
瞬時ｔ＝ｔ０において、ライン周波数偏向電流Ｉｄ１は最小値を有し、ライン周波数方向に見て、電子ビーム２０１は、表示スクリーン２４０の第１エッジ付近に位置する。ライン周波数偏向回路Ｉｄ１はｔ＝ｔ０とｔ＝ｔ１との間で増大し、その結果、電子ビーム２０１は表示スクリーン２４０の上にラインを書き込む。瞬時ｔ＝ｔ１において、ライン周波数偏向電流Ｉｄ１は最大となり、電子ビーム２０１は表示スクリーン２４０の他のエッジ付近に位置する。次いで、フライバックと呼ばれる現象がｔ＝ｔ１とｔ＝ｔ２との間に生じ、この場合、電子ビーム２０１は、次のラインを書き込むために第１エッジに戻る。フライバック中、電子ビーム２０１がスイッチオフされる。
【００４０】
電子ビーム２０１がほぼ一定速度で表示スクリーン２４０に書込みを行うよう図２Ａの鋸歯形状にＳ補正を行い、その結果、表示スクリーン２４０の各画素は、ほぼ等しい照射時間を有し、表示された画像の光強度は、最大の一様性を有する。
【００４１】
Ｓ補正されたライン周波数偏向電流Ｉｄ１が変換され及び積分されて、ライン周波数フォーカシング電圧Ｖｌ１となる。このライン周波数フォーカシング電圧Ｖｌ１は、図２Ｂに示すようななだらかなパラボラ形状を有する。表示スクリーン２４０のエッジ付近では更に低いライン周波数フォーカシング電圧が利用できる。
【００４２】
他のライン周波数フォーカシング電圧Ｖｌ２を発生するとともに、それをライン周波数フォーカシング電圧Ｖｌ１に重畳することによって、全ライン周波数フォーカシング電圧Ｖｌ１＋Ｖｌ２は、所望の形状、例えばバスタブ形状を得ることができる。全ライン周波数フォーカシング電圧は、１２０°の偏向角を有する画像表示装置に対して例えば２０００Ｖの大きさを有する。
【００４３】
他のライン周波数フォーカシング電圧Ｖｌ２は、図２Ｃに示すような補正形状を有する。補正形状は、例えば、ほぼ４次又はそれより上の偶数次の成分を有する形状である。そのような補正形状は、表示スクリーン２４０のライン軸付近で比較的平坦であるとともにエッジ付近で比較的急峻であり、全ライン周波数フォーカシング電圧Ｖｌ１＋Ｖｌ２が図２Ｄに示すようなバスタブ形状を有するようになる。
【００４４】
全ライン周波数フォーカシング電圧Ｖｌ１＋Ｖｌ２がフィールド周波数フォーカシング電圧Ｖｆと組み合わされて、ダイナミックフォーカシング電圧Ｖｄａｆを形成する。フィールド周波数フォーカシング電圧は、例えば、５００Ｖの大きさ及び１００Ｈｚの周波数を有するパラボラ形状を有する。ダイナミックフォーカシング電圧Ｖｄａｆのあり得る形状を図２Ｅに示す。フィールド周波数フォーカシング電圧内のライン周波数電圧の周期の数は、実際には、図示したものより著しく多く、その数を、例えば６００とする。
【００４５】
画像表示装置内のダイナミックフォーカシング回路１００を用いて、陰極線管ＣＲＴのＤＡＦ区分２２０を制御する。これを図３に示す。表示装置の制御ユニットＡは、ビデオ信号ＶＩＤを受信し、変調信号Ｓｍを発生し、それから信号Ｓｘ，Ｓｙを取得する。
【００４６】
陰極線管ＣＲＴの電子銃２００は、電子ビーム２０１を発生する電子源２１０を具える。発生した電子は、表示スクリーン２４０に向かって加速され、表示スクリーン２４０は、発生した電子が入射することによって発光する蛍光体を具える。
【００４７】
電子ビーム２０１は、主レンズ２３０によって、蛍光体を具える表示スクリーン２４０上に収束される。ＤＡＦ区分２２０は、電子源２１０と主レンズ２３０との間に配置される。電子ビーム２０１の非点収差を、ＤＡＦ区分２２０によって変えることができ、かつ、主レンズ２３０による収束を部分的に補償することができ、その結果、電子ビーム２０１は、表示スクリーン２４０を通じてほぼ焦点にある。
【００４８】
変調信号Ｓｍは、電子ビーム２０１の強度を変調するために電子源に供給され、これによって、表示スクリーン２４０上で電子ビーム２０１の到達点で蛍光体が発光する強度を変える。
【００４９】
駆動信号Ｓｘ，Ｓｙは偏向回路Ｄに供給され、偏向回路Ｄは、駆動信号Ｓｘ，Ｓｙからライン周波数偏向回路Ｉｄｌ及びフィールド周波数偏向回路Ｉｄｆを形成する。フィールド周波数偏向回路Ｉｄｆはフィールド偏向コイルＬｆに供給される。一般に、フィールド偏向コイルＬｆは、電子ビーム２０１を垂直方向に偏向する。ライン周波数偏向電流Ｉｄｌは、電子ビーム２０１をライン周波数方向に偏向するライン偏向コイルＬ１に供給され、その後、ダイナミックフォーカシング回路１００の入力部１を通じて１次巻線Ｌｐに供給される。ライン周波数方向を、一般に水平方向とする。ダイナミックフォーカシング回路１００は、ＤＡＦ区分２２０を制御するためにライン周波数偏向電流Ｉｄｌからダイナミックフォーカシング電圧Ｖｄａｆを形成する。
【００５０】
図面は、線図的であり、寸法通りではない。図面及び関連の説明が本発明を制限しないのは明らかである。当業者は、本発明によるダイナミックフォーカシング回路及び画像表示装置の他の複数の実施の形態を構成することができる。本発明を、下降部、ほぼ平坦部及び上昇部を有するライン周波数フォーカシング電圧に基づいて説明した。上昇部、ほぼ平坦部及び下降部を有するライン周波数フォーカシング電圧を用いることもできる。負電位のダイナミックフォーカシング電圧を用いることもできる。これらの適用の全ては、当業者の通常の能力内で考察される。
【図面の簡単な説明】
【００５１】
【図１】本発明によるダイナミックフォーカシング回路の実施の形態を示す。
【図２】ダイナミックフォーカシング回路の選択された電気信号の形状を示す。
【図３】ダイナミックフォーカシング回路を具える画像表示装置を示す。
【国際公開パンフレット】
2004531182.tif 000003
2004531182.tif 000004
2004531182.tif 000005
2004531182.tif 000006
2004531182.tif 000007
2004531182.tif 000008
2004531182.tif 000009
2004531182.tif 000010
2004531182.tif 000011
2004531182.tif 000012
2004531182.tif 000013
2004531182.tif 000014
2004531182.tif 000015
2004531182.tif 000016
2004531182.tif 000017
2004531182.tif 000018
【国際調査報告】
2004531182.tif 000019
2004531182.tif 000020